(57)【要約】【課題】本発明の目的は、移動体無線基地局装置の受信処理機能部における受信データの処理時間および、該受信データの処理時間と受信電界強度情報データの処理時間の差を高精度に測定する方法を提供することである。【解決手段】本発明では、ディジタル位相変調信号受信装置の受信データ処理時間を測定する受信信号処理時間測定方法であって、基準タイミングパルスを発生するステップと、前記基準タイミングパルスをトリガとして、バースト信号の中心の時刻に位相が１８０度反転する高周波信号を発生するステップと、前記受信装置の復調出力の符号反転時刻を、前記基準タイミングパルスをトリガとして測定するステップとを含む受信信号処理時間測定方法を用いる。【選択図】  図４
2007295118.tif 000002
【特許請求の範囲】
【請求項１】
ディジタル位相変調信号受信装置の受信データ処理時間を測定する受信信号処理時間測定方法であって、
基準タイミングパルスを発生するステップと、
前記基準タイミングパルスをトリガとして、バースト信号の中心の時刻に位相が１８０度反転する高周波信号を発生するステップと、
前記受信装置の復調出力の符号反転時刻を、前記基準タイミングパルスをトリガとして測定するステップと、
を含む受信信号処理時間測定方法。
【請求項２】
ディジタル位相変調信号受信装置の受信電界強度情報データの処理時間を測定する受信信号処理時間測定方法であって、
基準タイミングパルスを発生するステップと、
前記基準タイミングパルスをトリガとして、バースト信号の中心の時刻に位相が１８０度反転する高周波信号を発生するステップと、
前記受信装置の受信電界強度情報データの値と出力時刻を、前記基準タイミングパルスをトリガとして測定するステップと、
前記受信電界強度情報データと前記バースト信号のバースト区間長を用いて、前記電界強度データの出力時刻と前記バースト信号の位相反転時刻の時間差を計算するステップと、
前記時間差を用いて前記電界強度情報データの処理時間を計算するステップと、
を含む受信信号処理時間測定方法。
【請求項３】
ディジタル位相変調信号受信装置の受信データの処理時間と受信電界強度情報データの処理時間の差を測定する受信信号処理時間測定方法であって、
基準タイミングパルスを発生するステップと、
前記基準タイミングパルスをトリガとして、バースト信号の中心の時刻に位相が１８０度反転する高周波信号を発生するステップと、
前記受信装置の復調出力の符号反転時刻と受信電界強度情報データの値と出力時刻を、前記基準タイミングパルスをトリガとして測定するステップと、
前記符号反転時刻により受信データの処理時間を決定するステップと、
受信電界強度情報データと前記バースト信号のバースト区間長を用いて、前記電界強度情報データの出力時刻と前記バースト信号の位相反転時刻の時刻差を計算するステップと、
前記時刻差を用いて前記電界強度情報データの処理時間を計算するステップと、
前記受信データの処理時間と前記受信電界強度情報データの処理時間の差を計算するステップと、
を含む受信信号処理時間測定方法。
【発明の詳細な説明】
【技術分野】
【０００１】
本発明は、受信信号処理時間測定に関し、特にディジタル位相変調受信装置の受信データと受信電界強度情報データの処理時間の差を測定する受信信号処理時間測定方法に関する。
【背景技術】
【０００２】
移動体無線基地局装置(以下Ｎｏｄｅ−Ｂ)の受信処理機能部では、受信信号から伝送データを復調するほかに受信電界強度検出(以下ＲＳＳＩ：Ｒｅｃｅｉｖｅｒ  Ｓｉｇｎａｌ  Ｓｔｒｅｎｇｔｈ  Ｉｎｄｉｃａｔｏｒ)の機能を持ち、ＲＳＳＩ情報を回線の保守や、通話チャンネルの制御等に利用する。
【０００３】
ＲＳＳＩ情報データにより通信品質が確認された伝送データとしての認識が必要であり、受信処理機能部の遅延時間を正確に決定する必要があった。
【０００４】
従来、無線信号処理部の遅延時間の決定には、回路シミュレーションによる計算により回路の遅延時間を計算したり、各回路ブロックの設計値による遅延時間を積算して装置全体の遅延時間を求める方法があった（特許文献１参照）。
【特許文献１】特開平８−１２９５６７号公報
【発明の開示】
【発明が解決しようとする課題】
【０００５】
上記の説明におけるように、移動通信システムのＮｏｄｅ−Ｂにおいて移動端末からの受信データと、該データの受信電界強度検出データは対応する必要がある。
【０００６】
図１に、Ｎｏｄｅ−Ｂの受信部の構成を示す。
【０００７】
図１において、１０１は受信アンテナ、１０２は受信信号処理機能部、１０３は周波数変換器、１０４は局部発振器、１０５は自動利得制御回路（以下ＡＧＣ回路）、１０６は直交復調部、１０７はＡＤ変換器、１０８は受信電界強度検出部、１０９は符号処理部をそれぞれ示す。Ｎｏｄｅ−Ｂの受信アンテナ１０１で受信した移動端末からの高周波信号は、周波数変換器１０３において局部発振器１０４からの高周波信号とミキシングされ、中間周波数（以下ＩＦ）信号に変換される。ＩＦ信号はＡＧＣ回路１０５により信号レベルが一定とされ、直交復調部１０６において、基準位相に対し同相成分のデータ（  以下Iデータ）と直交成分のデータ（以下Ｑデータ）を検出してＩデータとＱデータを出力する。ＩＦ信号の一部は分岐され、受信電界強度検出部１０８において、所定の周期でＩＦ信号のレベルが検出され、ＲＳＳＩ情報データとして出力される。符号処理部１０９では、ＩデータとＱデータに対し、例えば、送信側の移動端末におけるＣＤＭＡ方式の拡散符号を逆拡散および、誤り訂正符号が符号再生処理され、送信された伝送データが再生される。
【０００８】
前記ＩデータとＱデータの各符号時刻に対応した受信電界強度により、各符号のＳ／Ｎの品質が決まるので、図１において受信処理機能部１０２からＩデータとＱデータが出力する時刻と、ＲＳＳＩ情報データが表す受信電界強度検出時刻の関係を対応づける必要がある。
【０００９】
しかしながら、前記背景技術に示した計算値による遅延時間は、前記受信処理機能部に含まれる濾波器などアナログ回路の製造バラツキや構成部品の特性バラツキ等による誤差が大きくなり精度が低い。
【００１０】
また、符号処理部１０９はディジタル回路とプロセッサによる信号処理を行なうので、設計値により容易に計算でき、一度測定されれば製造によるバラツキは非常に少ない。
【００１１】
従って、本発明の目的の１つは、Ｎｏｄｅ−Ｂの受信処理機能部における受信データの処理時間および、該受信データの処理時間とＲＳＳＩ情報データの処理時間の差を高精度に測定するシステムと方法を提供することである。
【００１２】
尚、上記目的に限らず、後述する発明を実施するための最良の形態に示す各構成により導かれる結果であって従来の技術によっては得られない効果も、本発明の他の目的の１つとして位置付けることができる。
【課題を解決するための手段】
【００１３】
（１）本発明では、ディジタル位相変調信号受信装置の受信データ処理時間を測定する受信信号処理時間測定システムであって、基準タイミングパルス発生手段と、前記基準タイミングパルスをトリガとして、バースト信号の中心の時刻に位相が１８０度反転する高周波信号の発生手段と、前記受信装置の復調出力の符号反転時刻を、前記基準タイミングパルスをトリガとして測定する測定手段と、を備えたこと特徴とする受信信号処理時間測定システムを用いる。
（２）本発明では、ディジタル位相変調信号受信装置の受信データ処理時間を測定する受信信号処理時間測定方法であって、基準タイミングパルスを発生するステップと、前記基準タイミングパルスをトリガとして、バースト信号の中心の時刻に位相が１８０度反転する高周波信号を発生するステップと、前記受信装置の復調出力の符号反転時刻を、前記基準タイミングパルスをトリガとして測定するステップと、を含む受信信号処理時間測定方法を用いる。
【００１４】
好ましくは、請求項１記載の受信信号処理時間測定方法は、前記測定した波形における符号反転時刻から、前記受信装置に入力する高周波の前記バースト信号の位相が１８０度反転する時刻を差し引くことにより、前記受信装置の受信データの処理時間を補正する受信信号処理時間測定方法を用いる。
（３）本発明では、ディジタル位相変調信号受信装置の受信電界強度情報データの処理時間を測定する受信信号処理時間測定システムであって、基準タイミングパルス発生手段と、
前記基準タイミングパルスをトリガとして、バースト信号の中心の時刻に位相が１８０度反転する高周波信号の発生手段と、前記受信装置から出力した受信電界強度情報データと出力時刻を、前記基準タイミングパルスをトリガとして測定する測定手段と、前記受信電界強度情報データと前記バースト信号のバースト区間長を用いて、前記電界強度データの出力時刻と前記バースト信号の位相反転時刻の時間差を計算する手段と、前記時間差を用いて前記電界強度情報データの処理時間を決定する手段と、を備えたことを特徴とする受信信号処理時間測定システムを用いる。
（４）本発明では、ディジタル位相変調信号受信装置の受信電界強度情報データの処理時間を測定する受信信号処理時間測定方法であって、基準タイミングパルスを発生するステップと、前記基準タイミングパルスをトリガとして、バースト信号の中心の時刻に位相が１８０度反転する高周波信号を発生するステップと、前記受信装置の受信電界強度情報データの値と出力時刻を、前記基準タイミングパルスをトリガとして測定するステップと、前記受信電界強度情報データと前記バースト信号のバースト区間長を用いて、前記電界強度データの出力時刻と前記バースト信号の位相反転時刻の時間差を計算するステップと、前記時間差を用いて前記電界強度情報データの処理時間を計算するステップと、
を含む受信信号処理時間測定方法を用いる。
【００１５】
好ましくは、請求項２記載の受信信号処理時間測定方法は、前記電界強度情報データの処理時間から、前記受信装置に入力する高周波の前記バースト信号の位相が１８０度反転する時間を差し引くことにより、前記受信装置の受信電界強度情報データ検出時間を補正するステップを含む受信信号処理時間測定方法を用いる。
【００１６】
（５）本発明では、ディジタル位相変調信号受信装置の受信データの処理時間と受信電界強度情報データの処理時間の差を測定する受信信号処理時間測定方法であって、基準タイミングパルスを発生するステップと、前記基準タイミングパルスをトリガとして、バースト信号の中心の時刻に位相が１８０度反転する高周波信号を発生するステップと、前記受信装置の復調出力の符号反転時刻と受信電界強度情報データの値と出力時刻を、前記基準タイミングパルスをトリガとして測定するステップと、前記符号反転時刻により受信データの処理時間を決定するステップと、前記受信電界強度情報データと前記バースト信号のバースト区間長を用いて、前記電界強度情報データの出力時刻と前記バースト信号の位相反転時刻の時刻差を計算するステップと、前記時刻差を用いて前記電界強度情報データの処理時間を計算するステップと、前記受信データの処理時間と前記受信電界強度情報データの処理時間の差を計算するステップと、を含む受信信号処理時間測定方法を用いる。
【発明の効果】
【００１７】
本発明によれば、Ｎｏｄｅ−Ｂの受信処理機能部における伝送データの処理時間および、該伝送データの処理時間とＲＳＳＩ情報データ検出処理時間の差を精密に測定することが出来る。
【発明を実施するための最良の形態】
【００１８】
以下、図面を参照することにより、本発明の実施の形態について説明する。
（実施例１）
実施例１においては、受信信号処理機能部１０２における伝送データの処理時間を測定することとする。
・「測定システムの構成と動作」
図２に実施例１における測定システムの構成を示す。
【００１９】
図２において、受信信号処理機能部１０２は図１と同一であり、同じ番号を付してある。２０１は基準タイミングパルス発生器、２０２は高周波（以下ＲＦ：Ｒａｄｉｏ  Ｆｒｅｑｕｅｎｃｙ）信号発生器、２０３はロジックアナライザーをそれぞれ示す。
【００２０】
図３に実施例１における各部の時間波形を示す。
Ｄ３０１は基準パルス波形、Ｄ３０２はＲＦ信号波形、Ｄ３０３はＩデータ出力波形、Ｄ３０４はＱデータ出力波形をそれぞれ示す。
【００２１】
基準タイミングパルス発生器２０１は、所定の周期で図３のＤ３０１に示すパルス信号を発生し、ＲＦ信号発生器２０２とロジックアナライザー２０３に供給する。
【００２２】
ＲＦ信号発生器２０２は、基準タイミングパルスをトリガとして、ＲＦのバースト信号を発生する。ＲＦバースト信号Ｄ３０２は、バースト区間Ｔｍの無変調ＲＦ信号が、バースト区間の中点（ｔ＝ｔｈ）において位相が反転（１８０度変化）した波形であって、受信信号処理機能部１０２に入力される。
【００２３】
受信信号処理機能部１０２では、周波数変換器１０３でＩＦ信号に変換された後に、直交復調部１０６において受信したバースト信号から再生された基準搬送波に対して同相成分と直交成分が復調され、ＡＤ変換器１０７によりディジタル値（１と−１の２値）に変換され、それぞれＩデータＤ３０３とＱデータＤ３０４として出力される。
・「Ｉ、Ｑデータの処理時間測定」
図３に示すように、基準タイミングパルス発生器２０１から発生したタイミングパルスの発生時刻を基準時刻（ｔ＝０）とすると、このタイミングパルスに駆動されたＲＦ信号発生器２０２は、一定の応答時間遅れてＲＦバースト信号を出力する。ＲＦ信号発生器２０２から受信信号処理部機能部１０２までの接続ケーブルによりさらに遅延して、受信信号処理部機能部１０２には、基準時刻からτＳＧの時間遅延したＲＦバースト波形Ｄ３０２となり入力する。このＲＦバースト信号波形Ｄ３０２は、バースト区間Ｔｍの中点（ｔ＝ｔｈ）においてＲＦの位相が反転（１８０度変化）しており、基準時刻に対しては、（τＳＧ＋Ｔｍ／２）の時間遅延した時刻ｔｈに位相が反転している。この時刻ｔｈの時刻の測定は、図２において、ＲＦ信号発生器２０２から受信信号処理部機能部１０２までの接続ケーブルを、直接ロジックアナライザー２０３に接続し、ＲＦバースト信号Ｄ３０２の位相反転時刻により測定する。この測定により、ｔｈ＝（τＳＧ＋Ｔｍ／２）が決定できる。
【００２４】
受信信号処理部機能部１０２では、同相成分のＩデータＤ３０３と、直交成分のＱデータＤ３０４が復調される。ＩデータとＱデータの出力開始時刻は、ＲＦバースト信号Ｄ３０２入力時刻（ｔ＝τＳＧ）からτｄ遅れる。
【００２５】
従って、基準時刻に対するＩデータとＱデータの中点の出力時刻ｔｄは（ＩデータとＱデータは同時刻に出力する）、（１）式で示される。
【００２６】
【数１】
2007295118.tif 000003
【００２７】
ただし、ｔｈ＝（τＳＧ＋Ｔｍ／２）で受信信号処理部機能部１０２へ入力するＲＦバースト信号の位相反転時刻。
【００２８】
ロジックアナライザー２０３により、ＩデータとＱデータ波形を測定し、＋１（または−１）がＴｍ/２の区間連続し、そのすぐ後のＴｍ/２の区間に極性が反転して−１（または＋１）が連続する信号系列の中点の反転時刻ｔｄを測定する。
【００２９】
なお、図３に示すＩデータとＱデータは、ＲＦバースト信号入力Ｄ３０２が、直交復調部１０６において再生された基準搬送波の位相に対して、バースト区間Ｔｍ前半が位相７π／４であって、バースト区間Ｔｍ後半の位相が３π／４まで変化した場合の波形を示す。
【００３０】
このＩデータとＱデータの極性（＋１または−１）は、直交復調部１０６において復調された符号は基準搬送波の位相により異なり、１つのＲＦバースト信号入力に対し、ＩデータとＱデータは４種類となり、ロジックアナライザーによる波形測定では、これらは同一のバースト信号として測定される。
【００３１】
すなわち、直交復調されたＩデータとＱデータの組を、Ｉ（ＩＤ１，ＩＤ２）：Ｑ（ＱＤ１，ＱＤ２）とすると、Ｉ（１，−１）：Ｑ（１，−１）、Ｉ（−１，１）：Ｑ（１，−１）、Ｉ（−１，１）：Ｑ（−１，１）、Ｉ（１，−１）：Ｑ（−１，１）は、同じＲＦバースト信号入力を復調したＩデータとＱデータである。
【００３２】
また、図３において、ＲＦバースト信号Ｄ３０２が無い時間帯におけるＩデータ出力Ｄ３０３とＱデータ出力Ｄ３０４は、ロジックアナライザー２０３による実際の測定では、ランダムなパルス列である。すなわち、ＲＦバースト信号Ｄ３０２が無い時間帯は、受信信号処理機能部１０２へのＲＦ信号入力は無くなり、ＡＧＣ回路１０５が最大利得の増幅状態となる。その結果、受信信号処理機能部１０２の内部発生雑音を増幅して直交復調部１０６に入力するため、ＩデータとＱデータはランダムな雑音となり、ＡＤ変換器１０７の出力はランダムな符号列となる。
【００３３】
ランダムな符号列の中から、一定区間（バースト区間長の半分Ｔｍ／２）同じ符号が連続し、途中で符号が反転し同じ一定区間（バースト区間長の半分Ｔｍ／２）が続く波形の符号反転位置を見つけるのは容易であり、確実にバースト符合列の中点の符号反転時刻ｔｄを測定することが出来る。
【００３４】
例えば、バースト区間長Ｔｍ＝１０ｍｓｅｃ、情報データ伝送速度が３．８４Ｍｂｐｓ（１ビットの符号長≒０．２６μｓｅｃ）場合、ＲＦバースト信号の無い区間では、＋１または−１の符号が、０．２６μｓｅｃの周期でランダムに出力するが、バーストの前半Ｔｍ／２＝５ｍｓｅｃには、同じ符号が約１９２００個続き、符号反転後また前半と同じ符号数の約１９２００個が続き、バーストがなくなると再び、＋１または−１の符号が、０．２６μｓｅｃの周期でランダムに出力する。従って、ＲＦバースト信号のある区間の符号反転時刻ｔｄは、ランダム符号列とは明確に識別して測定出来る。
（１）式において、ｔｈ＝（τＳＧ＋Ｔｍ／２）は前記の測定で決定しているので、受信信号処理部機能部１０２における遅延時間τｄは、
【００３５】
【数２】
2007295118.tif 000004
【００３６】
より求める。（２）式により、ＩデータとＱデータの受信信号処理部機能部１０２における遅延時間τｄは、ロジックアナライザー２０３による測定された時刻ｔｈとｔｄにより決定することが出来る。
（実施例２）
実施例２においては、受信処理機能部１０２における、受信データの処理時間および、受信データの処理時間と受信電界強度情報データ検出の処理時間の差の時間を測定することとする。
・「測定システムの構成と動作」
図４に実施例２における測定システムの構成を示す。
図４において、図１、図２と同じものは同一の番号を付してあり、４０１はＮｏｄｅ−Ｂ（移動体無線基地局装置）、４０２はＢＦＮ（Ｎｏｄｅ−Ｂ  Ｆｒａｍｅ  Ｎｕｍｂｅｒ）をそれぞれ示す。
【００３７】
図４に示すように、実施例２では、受信信号処理機能部１０２におけるＩデータ、Ｑデータおよび、ＲＳＳＩ情報データの処理時間を同時に測定する。
【００３８】
また、ＲＦ信号発生器２０２とロジックアナライザー２０３への基準タイミングパルスは、Ｎｏｄｅ−Ｂ４０１内の基準タイミングであるＢＦＮのパルス信号を用いる。
・「Ｉ、Ｑデータの処理時間測定」
受信信号処理機能部１０２におけるＩ、Ｑデータの遅延時間測定は実施例１と同じであり、ロジックアナライザー２０３により、ＩデータとＱデータ波形を測定し、＋１（または−１）がＴｍ/２の区間連続し、そのすぐ後のＴｍ/２の区間に極性が反転した−１（または＋１）が連続する信号系列の中点の反転時刻ｔｄを測定する。また、受信信号処理機能部１０２へのＲＦバースト信号Ｄ３０２の入力時刻ｔｈも、ロジックアナライザー２０３により、位相反転時刻により測定される。上記ｔｄとｔｈの測定値により、Ｉ、Ｑデータの遅延時間τｄは（２）式で決定される。
・「Ｉ、ＱデータとＲＳＳＩ情報データの処理時間差の測定」
図５にＩ、ＱデータとＲＳＳＩ情報データの処理時間差の測定における波形を示す。
【００３９】
図５において、Ｄ５０１はＢＦＮのパルス信号による基準パルス波形、Ｄ５０２はバースト信号パルスの信号電力、Ｄ５０３はＲＳＳＩ情報データをそれぞれ示す。
【００４０】
図４の受信信号処理機能部１０２内の受信電界強度検出部１０８では、ＲＦバースト信号区間長Ｔｍに等しい周期で信号電力の平均値を繰り返し求め、図５のＲＳＳＩ情報データＤ５０３として出力する。
【００４１】
図５においてＲＳＳＩ情報データＤ５０３の周期Ｔｍ毎の時刻ts１、ｔｓ２、ｔｓ３・・・と、受信電界強度検出部１０８に入力したバースト信号電力Ｄ５０２の位相反転時刻ｔｃには時間ずれがある。
【００４２】
図５には、バースト信号電力Ｄ５０２の立ち上がり時刻に対し、ＲＳＳＩ情報データＤ５０３の２番目のデータ切り替え時刻ｔ＝ｔｓ２が、ｘだけ遅れた場合を示す。ただし、ｘは周期Ｔｍに対する時間比を示し、例えばＤ５０２が、時刻ＴｍよりＴｍ／１０早い場合はｘ＝０．１とする。ｔｓ１からｔｓ２の区間および、ｔｓ２からｔｓ３の区間のＲＳＳＩ情報データをそれぞれ、ｄ１、ｄ２とすると、（３）、（４）式となる。
【００４３】
【数３】
2007295118.tif 000005
【００４４】
【数４】
2007295118.tif 000006
【００４５】
ただし、ｙ０、ｙ１はそれぞれ、バースト無し時とバースト有り時の信号電力瞬時値の真数を表す。
【００４６】
（３）、（４）式よりｘを求めると（５）式となる。
【００４７】
【数５】
2007295118.tif 000007
【００４８】
（５）式より、ＲＳＳＩ情報データＤ５０３のｄ１データ区間終了時刻ｔ＝ｔｓ２に対する、バースト信号Ｄ５０２の中点時刻ｔｃの差Δｔは（６）式となる。
【００４９】
【数６】
2007295118.tif 000008
【００５０】
ただし、ｙ０、ｙ１はバースト無し時の信号電力の瞬時値とバースト信号有り時の信号電力の瞬時値、Ｔｍはバースト信号長さで予め測定しておく。ＲＳＳＩ情報データＤ５０３は、各Ｔｍ区間ごとに信号電力の平均値データとして測定され、その中で平均値が大きい２つの山の区間の平均値データがｄ１、ｄ２として選択され、（６）式によりΔｔが求められる。
【００５１】
即ち、ロジックアナライザー２０３による、ＲＳＳＩ情報データＤ５０３の２つの山は、データｄ１、ｄ２が他のデータｄ０、ｄ３、・・・より大きな値を示す位置で判断される。
【００５２】
ＲＳＳＩ情報データが１つの山になる時は、バースト信号Ｄ５０２の中点ｔｃと、ＲＳＳＩ情報データの切り替え時刻が一致した場合であり、（６）式においてｄ１＝ｄ２の時、Δｔ＝０となることからも分かる。
【００５３】
図５のＲＳＳＩ情報データＤ５０３によって示された、２つの山ｄ１とｄ２の最初のデータｄ１の終了時刻ｔ＝ｔｓ２は、バースト信号Ｄ５０２の中点時刻ｔｃよりも、（６）式で表されたΔｔ早い時刻を示すので、ｔｃは（７）式で計算できる。
【００５４】
【数７】
2007295118.tif 000009
【００５５】
バースト信号Ｄ５０２は、前記Ｉ、Ｑデータ（Ｄ３０３とＤ３０４）を生成した信号と同じＲＦバースト信号から生じたものであるから、前記Ｉ、Ｑデータ（Ｄ３０３とＤ３０４）における符号反転時刻ｔｄと、ＲＳＳＩ情報データを用いて（７）式により計算されたｔｃは理想的には同じ時刻を示すはずであるが、実際にはＩ、Ｑデータの経路とＲＳＳＩ情報データの経路の処理時間によって異なった値となる。
【００５６】
以上により、ロジックアナライザー２０３で測定したＩ、Ｑデータの符号反転出力時刻ｔｄと、ＲＳＳＩ情報データに基づき測定したバースト信号の中点時刻ｔｃの差により、両データの遅延時間差τｃdが（８）式により求まる。
【００５７】
【数８】
2007295118.tif 000010
【００５８】
（付記１）
ディジタル位相変調信号受信装置の受信データ処理時間を測定する受信信号処理時間測定システムであって、
基準タイミングパルス発生手段と、
前記基準タイミングパルスをトリガとして、バースト信号の中心の時刻に位相が１８０度反転する高周波信号の発生手段と、
前記受信装置の復調出力の符号反転時刻を、前記基準タイミングパルスをトリガとして測定する測定手段と、
を備えたこと特徴とする受信信号処理時間測定システム。
（付記２）
ディジタル位相変調信号受信装置の受信データ処理時間を測定する受信信号処理時間測定方法であって、
基準タイミングパルスを発生するステップと、
前記基準タイミングパルスをトリガとして、バースト信号の中心の時刻に位相が１８０度反転する高周波信号を発生するステップと、
前記受信装置の復調出力の符号反転時刻を、前記基準タイミングパルスをトリガとして測定するステップと、
を含む受信信号処理時間測定方法。
（付記３）
付記２記載の受信信号処理時間測定方法は、前記測定した波形における符号反転時刻から、前記受信装置に入力する高周波の前記バースト信号の位相が１８０度反転する時刻を差し引くことにより、前記受信装置の受信データの処理時間を補正する受信信号処理時間測定方法。
（付記４）
ディジタル位相変調信号受信装置の受信電界強度情報データの処理時間を測定する受信信号処理時間測定システムであって、
基準タイミングパルス発生手段と、
前記基準タイミングパルスをトリガとして、バースト信号の中心の時刻に位相が１８０度反転する高周波信号の発生手段と、
前記受信装置から出力した受信電界強度情報データと出力時刻を、前記基準タイミングパルスをトリガとして測定する測定手段と、
前記受信電界強度情報データと前記バースト信号のバースト区間長を用いて、前記電界強度データの出力時刻と前記バースト信号の位相反転時刻の時間差を計算する手段と、
前記時間差を用いて前記電界強度情報データの処理時間を決定する手段と、
を備えたことを特徴とする受信信号処理時間測定システム。
（付記５）
ディジタル位相変調信号受信装置の受信電界強度情報データの処理時間を測定する受信信号処理時間測定方法であって、
基準タイミングパルスを発生するステップと、
前記基準タイミングパルスをトリガとして、バースト信号の中心の時刻に位相が１８０度反転する高周波信号を発生するステップと、
前記受信装置の受信電界強度情報データの値と出力時刻を、前記基準タイミングパルスをトリガとして測定するステップと、
前記受信電界強度情報データと前記バースト信号のバースト区間長を用いて、前記電界強度データの出力時刻と前記バースト信号の位相反転時刻の時間差を計算するステップと、
前記時間差を用いて前記電界強度情報データの処理時間を計算するステップと、
を含む受信信号処理時間測定方法。
（付記６）
付記５記載の受信信号処理時間測定方法は、前記電界強度情報データの処理時間から、前記受信装置に入力する高周波の前記バースト信号の位相が１８０度反転する時間を差し引くことにより、前記受信装置の受信電界強度情報データ検出時間を補正するステップを含む受信信号処理時間測定方法。
（付記７）
ディジタル位相変調信号受信装置の受信データの処理時間と受信電界強度情報データの処理時間の差を測定する受信信号処理時間測定方法であって、
基準タイミングパルスを発生するステップと、
前記基準タイミングパルスをトリガとして、バースト信号の中心の時刻に位相が１８０度反転する高周波信号を発生するステップと、
前記受信装置の復調出力の符号反転時刻と受信電界強度情報データの値と出力時刻を、前記基準タイミングパルスをトリガとして測定するステップと、
前記符号反転時刻により受信データの処理時間を決定するステップと、
前記受信電界強度情報データと前記バースト信号のバースト区間長を用いて、前記電界強度情報データの出力時刻と前記バースト信号の位相反転時刻の時刻差を計算するステップと、
前記時刻差を用いて前記電界強度情報データの処理時間を計算するステップと、
前記受信データの処理時間と前記受信電界強度情報データの処理時間の差を計算するステップと、
を含む受信信号処理時間測定方法。
【図面の簡単な説明】
【００５９】
【図１】移動体無線基地局装置の受信部構成を示す図である。
【図２】Ｉ、Ｑデータ処理時間測定システム（実施例１）を示す図である。
【図３】受信信号とＩ、Ｑデータ出力波形（実施例１、２）を示す図である。
【図４】Ｉ、ＱデータとＲＳＳＩ情報データ処理時間測定システム（実施例２）を示す図である。
【図５】ＲＳＳＩ情報データ波形（実施例２）を示す図である。
【符号の説明】
【００６０】
１０１  受信アンテナ
１０２  受信信号処理機能部
１０３  周波数変換器
１０４  局部発振器
１０５  自動利得制御回路
１０６  直交復調部
１０７  ＡＤ変換器
１０８  受信電界強度検出部
１０９  符号処理部
２０１  基準タイミングパルス発生器
２０２  高周波信号発生器
２０３  ロジックアナライザー
４０１  Ｎｏｄｅ−Ｂ
４０２  ＢＦＮ
【図１】
2007295118.tif 000011
【図２】
2007295118.tif 000012
【図３】
2007295118.tif 000013
【図４】
2007295118.tif 000014
【図５】
2007295118.tif 000015